(57)【要約】【課題】個室内など狭い空間内の人体などの物体を正確に検知できる物体検知センサーを提供すること。【解決手段】周波数スペクトル生成手段（１７，１８）は、ビート信号の周波数スペクトルを生成する。前記周波数スペクトルは、その周波数スペクトルの周波数と、送信波が送信されてから受信波として受信されるまでの行路長とが対応関係を有する。物体検知手段（２１）は、部屋（２）の最大幅の２倍よりも大きい行路長に対応する周波数を含む周波数範囲のスペクトル分布に基づいて、前記部屋（２）内の物体（１０）を検知する。【選択図】図２
2016138796.tif 000002
【特許請求の範囲】
【請求項１】
空間の周囲を壁面で囲ってなる部屋内に周波数変調した連続波のマイクロ波信号である送信波を送信する送信手段と、
前記送信波に基づく部屋内からの反射波である受信波を受信する受信手段と、
前記送信波と受信波のビート信号を生成するビート信号生成手段と、
前記ビート信号の周波数スペクトルを生成する周波数スペクトル生成手段と、
前記周波数スペクトルにおける所定の周波数範囲のスペクトル分布に基づいて部屋内の物体を検知する物体検知手段と
を備え、
前記周波数スペクトルは、その周波数スペクトルの周波数と、送信波が送信されてから受信波として受信されるまでの行路長とが対応関係を有するものであって、
前記物体検知手段は、前記部屋の最大幅の２倍よりも大きい行路長に対応する周波数を含む周波数範囲のスペクトル分布に基づいて、前記部屋内の物体を検知することを特徴とする物体検知センサー。
【請求項２】
請求項１に記載の物体検知センサーにおいて、
前記物体検知手段は、生成したビート信号の周波数スペクトルにおける全周波数成分中のすくなくとも一部の周波数成分の強度和を算出し、その強度和が所定の値よりも小さい場合に部屋内に物体が存在すると判定することを特徴とする物体検知センサー。
【請求項３】
請求項２に記載の物体検知センサーにおいて、
前記物体検知手段は、生成したビート信号の周波数スペクトルにおける全周波数成分中の全ての周波数成分の強度和を算出し、その強度和が所定の値よりも小さい場合に部屋内に物体が存在すると判定することを特徴とする物体検知センサー。
【請求項４】
請求項１に記載の物体検知センサーにおいて、
特定状態におけるビート信号の周波数スペクトル分布を記録する周波数スペクトル分布記憶手段を備え、
前記物体検知手段は生成したビート信号の周波数スペクトルと特定状態におけるビート信号の周波数スペクトル分布との比較に基づいて部屋内の物体を検知することを特徴とする物体検知センサー。
【請求項５】
請求項４に記載の物体検知センサーにおいて、
前記周波数スペクトル分布記憶手段は、複数の特定状態における、部屋内における物体の位置または状態と周波数スペクトル分布との関係を記憶し、
前記物体検知手段は生成したビート信号の周波数スペクトルと特定状態における周波数スペクトル分布との比較に基づいて部屋内における物体の位置または状態を判定することを特徴とする物体検知センサー。
【請求項６】
請求項１から５のいずれか１つに記載の物体検知センサーにおいて、
前記送信手段は、前記送信波を部屋の床面に沿って水平方向に送信することを特徴とする物体検知センサー。
【請求項７】
請求項１から６のいずれか１つに記載の物体検知センサーである人体検知センサー。
【請求項８】
内部に検知されるべき物体を入れることが可能な部屋と、
請求項１か５のいずれか１つに記載の物体検知センサーと
を備え、
前記部屋の壁面には、前記送信波を反射する金属からなる反射部材を設けていることを特徴とする部屋内物体検知システム。
【発明の詳細な説明】
【技術分野】
【０００１】
本発明は物体検知センサーおよび部屋内物体検知システムに関し、特に、個室内、例えば、トイレ、脱衣所などにおける人体の検知に好適に用いられる物体検知センサーおよび部屋内物体検知システムに関する。
【背景技術】
【０００２】
人体を検知する手段としてカメラが広く使用されているが、トイレや脱衣所などの個室ではカメラを使用して監視することはプライバシーの保護の観点から使用しづらいという問題がある。
【０００３】
しかしながら、これらの場所では人が転倒して身動きできなくなっているなどの危険性の高い状態が発生することが考えられ、プライバシーの問題を解決しつつ人体を検知するセンサーが望まれる。
【０００４】
プライバシーの問題をクリアする人体検知センサーとしてはマイクロ波を利用したセンサーがあり、このマイクロ波を利用するセンサーとしてはドップラセンサーやＦＭＣＷ（Frequency Modulated Continuous Wave）センサーが挙げられる。
【０００５】
ドップラセンサーは室内で利用されることが多く、広く使用されているものの原理上人が静止している状態では検知できず、例えば個室内で人が転倒し、静止している状態と、個室内から人が退出した状態との判別が難しいという問題がある。
【０００６】
一方、ＦＭＣＷセンサーは静止している対象物を検出することが可能であり、例えば特許文献１（特開２０１４-１１５２１４号公報）には侵入者を検出する手段としてＦＭＣＷセンサーを利用する方法が開示されている。
【０００７】
一般的なＦＭＣＷセンサーは以下のような手法により対象物を検出する。
【０００８】
すなわち、ＦＭＣＷ信号源で周波数変調された３角波の高周波の連続波信号である送信波を送信アンテナから空間に放射するとともに、空間に存在する対象物から反射して戻ってくる前記連続波信号（受信波）を受信して、その送信波と受信波の差周波を有するビート信号を生成する。そして、このビート信号の周波数スペクトルが対象物までの距離と対応するため、スペクトルのピーク部を検知することで対象物の存在或いは位置の算出を行っている。
【０００９】
より詳しくは、送信波の掃引周波数幅をＦｗ、掃引時間をＴ、光速をＣとした時、ビート信号の周波数Ｆｂと対象物との距離Ｒとは、
【数１】
2016138796.tif 000003
の関係がある。よって、人が存在する場合は人によって反射したマイクロ波がセンサーに受信され、その位置に対応するビート信号の周波数位置にスペクトルのピークが出現するので、適当な閾値を設定するなどしてピークの出現を検知すれば人が存在することを判定できる。
【００１０】
また、特許文献１では、反射器に基づく位置に出現しているスペクトルピークの変化情報を人の存在する位置の判定に活用している。
【００１１】
いずれにせよ、これらはビート信号の周波数スペクトルにおいて、障害物が存在する距離と対応する周波数成分にピークが出現することを前提としている。
【００１２】
なお、ＦＭＣＷセンサーは近距離の計測ができないとされているが、特許文献２（特許第４２９３１９４号公報）では複数の周波数成分を有する信号波を用い、空間上の位置と振幅との関係が時間的な変化を伴う混合波の周波数成分を分析することにより近距離計測をする手法が提案されている。これはＦＭＣＷセンサーの一種と解されるが、信号処理等により近距離計測を実現しているものと考えられる。
【先行技術文献】
【特許文献】
【００１３】
【特許文献１】特開２０１４-１１５２１４号公報
【特許文献２】特許第４２９３１９４号公報
【発明の概要】
【発明が解決しようとする課題】
【００１４】
しかしながら、近距離計測が可能である特許文献２に記載されている技術を採用したセンサーを用いて発明者らが人検知試験を行ったところ、以下の問題が発生した。
【００１５】
すなわち、周辺に壁等の障害物がない環境で前記センサーを使用する場合は、近距離であっても障害物の距離に応じたスペクトル分布が得られるものの、壁に囲まれた狭い空間で使用するとビート信号のスペクトル分布が大きく変化し、対象物が存在する距離に障害物の存在を示すようなスペクトルピークが存在しないか、或いは対象物の存在する距離以外の場所にスペクトルピークが出現するなどの状況が発生してしまった。
【００１６】
これはマイクロ波の多重散乱が生じているからと考えられるが、障害物が存在する距離に対応する周波数成分にピークが出現しないため、従来のＦＭＣＷセンサーで用いられるような人検知方法を採用することができないという問題がある。すなわち、個室内などの狭い空間では多重散乱状況となるため、従来のような特定の周波数成分の強弱では、人等の物体を検知することができないという問題がある。
【００１７】
かかる問題に鑑み、本発明の課題は、多重散乱状況となる個室内などの狭い空間での人体などの物体を正確に検知できる物体検知センサーを提供することにある。
【００１８】
また、本発明の課題は、人体検知性能を向上させた物体検知システムを提供することにある。
【課題を解決するための手段】
【００１９】
前記課題を解決するため、本発明の物体検知センサーは、
空間の周囲を壁面で囲ってなる部屋内に周波数変調した連続波のマイクロ波信号である送信波を送信する送信手段と、
前記送信波に基づく部屋内からの反射波である受信波を受信する受信手段と、
前記送信波と受信波のビート信号を生成するビート信号生成手段と、
前記ビート信号の周波数スペクトルを生成する周波数スペクトル生成手段と、
前記周波数スペクトルにおける所定の周波数範囲のスペクトル分布に基づいて部屋内の物体を検知する物体検知手段と
を備え、
前記周波数スペクトルは、その周波数スペクトルの周波数と、送信波が送信されてから受信波として受信されるまでの行路長とが対応関係を有するものであって、
前記物体検知手段は、前記部屋の最大幅の２倍よりも大きい行路長に対応する周波数を含む周波数範囲のスペクトル分布に基づいて、前記部屋内の物体を検知することを特徴としている。
【００２０】
１実施形態では、
前記物体検知手段は、生成したビート信号の周波数スペクトルにおける全周波数成分中のすくなくとも一部の周波数成分の強度和を算出し、その強度和が所定の値よりも小さい場合に部屋内に物体が存在すると判定する。
【００２１】
１実施形態では、
前記物体検知手段は、生成したビート信号の周波数スペクトルにおける全周波数成分中の全ての周波数成分の強度和を算出し、その強度和が所定の値よりも小さい場合に部屋内に物体が存在すると判定する。
【００２２】
１実施形態では、
特定状態におけるビート信号の周波数スペクトル分布を記録する周波数スペクトル分布記憶手段を備え、
前記物体検知手段は生成したビート信号の周波数スペクトルと特定状態におけるビート信号の周波数スペクトル分布との比較に基づいて部屋内の物体を検知する。
【００２３】
１実施形態では、
前記周波数スペクトル分布記憶手段は、複数の特定状態における、部屋内における物体の位置または状態と周波数スペクトル分布との関係を記憶し、
前記物体検知手段は生成したビート信号の周波数スペクトルと特定状態における周波数スペクトル分布との比較に基づいて部屋内における物体の位置または状態を判定する。
【００２４】
１実施形態では、
前記送信手段は、前記送信波を部屋の床面に沿って水平方向に送信する。
【００２５】
１実施形態は、
前記物体検知センサーである人体検知センサーである。
【００２６】
本発明の部屋内物体検知システムは、
内部に検知されるべき物体を入れることが可能な部屋と、
上述の物体検知センサーと
を備え、
前記部屋の壁面には、前記送信波を反射する金属からなる反射部材を設けていることを特徴としている。
【発明の効果】
【００２７】
本発明の物体検知センサーは、特定の周波数成分の強弱にて人体などの物体を検出するのではなくて、物体検知手段によって、所定の周波数範囲のスペクトル分布の変化によって人体などの物体を検知するので、個室内のようにマイクロ波が多重散乱を引き起こす環境下においても人体などの物体を正確に検知することができる。
【００２８】
また、本発明の物体検知システムは、部屋の壁面に反射部材を設けて、マイクロ波の多重散乱の状態を積極的に促進させているので、人体などの物体の検知性能を向上させることができる。
【図面の簡単な説明】
【００２９】
【図１Ａ】本発明の物体検知センサーを個室内にセッティングした状態の横断面図である。
【図１Ｂ】本発明の物体検知センサーを個室内にセッティングした状態の縦断面図である。
【図２】第１実施形態の人体検知センサーのブロック図である。
【図３】個室内の人の各状態を説明する図である。
【図４】個室内の人の各状態について、距離に対するスペクトル強度の関係を示すグラフである。
【図５】第１実施形態の人体検知センサーの物体検知部の動作を説明するフローチャートである。
【図６】第２実施形態の物体検知センサーの物体検知部の動作を説明するフローチャートである。
【図７】人の各状態について、周波数スペクトル分布の各周波数成分の強度の和を示すグラフである。
【図８】第３実施形態の物体検知センサーの物体検知部の動作を説明するフローチャートである。
【図９】第４実施形態の要部である物体検知部および周波数スペクトル分布記憶部のブロック図である。
【図１０】第５実施形態の部屋内物体検知システムの模式平面図である。
【図１１】変形例の部屋内物体検知システムの模式平面図である。
【発明を実施するための形態】
【００３０】
以下、本発明を図示の実施形態により詳細に説明する。なお、かかる実施形態は全ての点で例示であって制限的なものではなく、本発明の範囲は特許請求の範囲に記載され、特許請求の範囲および均等の意味を有する範囲内でのすべての変更を含むものである。
【００３１】
（第１実施形態）
図１Ａおよび１Ｂは本発明の第１実施形態の物体検知センサーとしての人体検知センサー１を個室２内にセッティングした状態を示すもので、図１Ａは横断面図であり、図１Ｂは縦断面図である。個室２のサイズは1.55m×0.95m×2.3mであり、トイレを想定して個室２内に丸型の椅子３を設置して固定している。また、個室２の4面の壁の床面から50cmの高さまでに、反射部材の一例としてのアルミ箔５を貼っている。このように、個室２の壁に反射部材としてのアルミ箔５を設けて、人体検知センサー１からの送信波の多重反射をより有効に利用できるようにしている。
【００３２】
図２は人体検知センサー１の構成を示すブロック図である。図２においてFMCW信号源１１がFM変調（周波数変調）された三角波の高周波信号を発生する。より具体的には図示しない電圧制御発振器（VCO）を用い、その電圧制御発振器への入力電圧の変化によりFM変調された三角波の高周波信号を生成する。
【００３３】
結合器１２はＦＭＣＷ信号源１１から発生された高周波信号を分配して、一方の高周波信号を送信手段としての送信アンテナ１３に出力し、他方の高周波信号をミキサ１５に出力する。
【００３４】
前記送信アンテナ１３は結合器１２から出力された高周波信号を送信波として放射する。
【００３５】
受信手段としての受信アンテナ１６は送信アンテナ１３により空中に送信した高周波信号を受信し、その受信波をミキサ１５に出力する。
【００３６】
前記ミキサ１５は結合器１２から出力された送信波と受信アンテナから出力された受信波との差周波を有するビート信号を生成し、そのビート信号をＡＤ変換器１７に出力する。すなわち、前記結合器１２とミキサ１５がビート信号生成手段を構成している。
【００３７】
前記ＡＤ変換器１７はミキサ１５から出力されたビート信号をアナログ信号形式からデジタル信号形式に変換して周波数分析部１８に出力する。この周波数分析部１８はＡＤ変換器１７によりデジタル化されたビート信号に対するＦＦＴ（高速フーリエ変換）等の処理を実行して、そのビート信号の周波数スペクトラムを算出する。このＡＤ変換器１７および周波数分析部１８が周波数スペクトル生成手段の一例を構成する。
【００３８】
物体検知手段としての物体検知部２１は、前記周波数スペクトルの分布に基づいて物体の有無を判定する機能を有している。
【００３９】
なお、前記人体検知センサー１の具体的な主な仕様は以下の通りであり、占有帯域幅にて周波数変調をかけたマイクロ波を放射するものである。
周波数帯域：24.05GHz〜24.25GHz
占有帯域幅：150MHz
ビーム幅：水平方向12°(半値幅)、垂直方向25°(半値幅)
外形寸法：145×90×30mm
重量：25g
【００４０】
図１Ａおよび１Ｂに示すように、前記人体検知センサー１は床面から20cm高さにセンサー筐体の中心が位置する高さで、前記椅子３の背後に設置した。前記人体検知センサー１から放射するマイクロ波の方向は、図１Ａに示すように、送信アンテナ１３から水平方向に放射された成分が個室２の壁面の長手側の中心部と当たるように角度を調整して固定した。
【００４１】
図３は、図１Ａおよび１Ｂに示す個室２内において人１０が着席（Ａ）、起立（Ｂ）、転倒（Ｃ），（Ｄ），（Ｅ）している状態を示している。なお、転倒については図３の（３Ｃ−１），（３Ｃ−２），（３Ｄ−１），（３Ｄ−２），（３Ｅ−１），（３Ｅ−２）に示すように、両サイドの壁際と中央付近で転倒している状態の3種類を設定し、それぞれの状態および無人の状態（図１Ａおよび１Ｂに示す。）での人体検知センサー１による距離スペクトルを計測した。
【００４２】
なお、図３において、（３Ａ−１），（３Ｂ−１），（３Ｃ−１），（３Ｄ−１），（３Ｅ−１）は、個室２と人１０との関係を示す概略平面図であり、（３Ａ−２），（３Ｂ−２），（３Ｃ−２），（３Ｄ−２），（３Ｅ−２）は、個室２と人１０との関係を示す概略正面図である。
【００４３】
図４の（４Ａ），（４Ｂ），（４Ｃ），（４Ｄ），（４Ｅ），（４Ｆ）には、それぞれの状態での距離スペクトルを示している。なお、高速フーリエ変換は1024点のデータ数にて処理を行い、対応する距離スペクトルは0mから127.75mまでが出力されるが、ここでは主な信号プロファイルが確認できる0mから10mの距離でのスペクトルを示している。
【００４４】
図１Ａに示す通り、無人状態においては人体検知センサー１に最も近い対象物は個室２の壁面であり、距離1m以内の位置にスペクトル強度のピークが出現することを期待されるが、図４の（４Ｆ）に示すように、距離1m以内の位置には顕著なピークは見られず、最大ピークは3mの位置に出現しており、このようなスペクトルは個室２内でのマイクロ波の多重反射によるものと考えられる。
【００４５】
また、図４の（４Ａ），（４Ｂ），（４Ｃ），（４Ｄ），（４Ｅ）に示すように、個室２内に人１０が存在する場合においては、最大ピーク位置がずれるなど、スペクトル分布のプロファイルが大きく変化していることが分かる。
【００４６】
したがって、本発明は特定の周波数(距離)でのスペクトル強度に着目しないで、プロファイル（スペクトル分布）の変化に基づいて人体１０を検出する。
【００４７】
この第１実施形態では、前記物体検知部２１（図２を参照）が、前記プロファイルの変化に基づいて、人体１０を検知する。なお、前記物体検知部２１および周波数分析部１８は、具体的には、例えば、マイクロコンピュータやＤＳＰ（デジタルシグナルプロセッサ）からなる。
【００４８】
前記物体検知部２１は、図５のフローチャートに示すように動作する。
【００４９】
まず、図５に示すステップＳ１で、予めメモリ（図示せず）に記憶されている無人状態のスペクトルプロファイルを読み出し、ステップＳ２に進んで、周波数分析部１８で生成されたビート信号の周波数成分毎のスペクトル強度と、予め記憶していた無人状態の周波数成分毎のスペクトル強度との差分を計算する。
【００５０】
そして、前記差分の絶対値の全周波数域での総和を算出し、この総和の数値を検出パラメータとする（ステップＳ３）。
【００５１】
この検出パラメータが、予め定められた閾値よりも大きいか否かを判別し（ステップＳ４）、検出パラメータが閾値よりも大きいと、ステップＳ５に進んで、個室２内に人１０が存在することを、図示しない告知装置で、画像や音声等で告知する。一方、検出パラメータが閾値以下であると判別すると（ステップＳ４）、ステップＳ６に進んで、個室２内が無人であることを、図示しない告知装置で、画像や音声等で告知する。
【００５２】
この第１実施形態の人体検知センサーでは、無人の個室２によるビート信号の周波数スペクトル分布を予め記憶し、この予め記憶している周波数スペクトル分布の周波数成分毎のスペクトル強度と、周波数分析部１８で生成されたビート信号の周波数成分毎のスペクトル強度との差分を各周波数成分毎に算出し、この差分の絶対値の総和を検出パラメータとして、閾値と比較して、個室２内における人体１０の有無を評価するので、人体１０の検出感度をより向上することができる。
【００５３】
また、この第１実施形態では、ビート信号の全周波数成分のスペクトル分布が変化したことによって人体１０を検知するので、従来のＦＭＣＷセンサーのように対象物との距離に対応する周波数成分のスペクトルが出現していなくても人体１０を検知でき、マイクロ波を用いて個室２内の人体１０を検知することが可能となる。
【００５４】
なお、ここで個室２とは多重散乱が生じる程度の狭空間を作るものであり、例えば、典型的には縦横が３ｍ×３ｍ程度以下の部屋である。
【００５５】
また、この第１実施形態では、周波数変調したマイクロ波を利用しているため、送信波と反射波とで定在波を形成することを抑制することができる。このため、定在波の腹・節の位置依存を無くして、定在波に基づくビート信号強度の強弱発生を回避することができる。
【００５６】
また、この第１実施形態ではマイクロ波の周波数帯域は、24.05GHz~24.25GHzであったが、水分によるマイクロ波の吸収の観点からは、10GHzから30GHzまでの周波数帯域であってもよい。
【００５７】
水分の比誘電率は低周波数域では約８０であるが、3GHzを超える程度から比誘電率が低下し始める。屈折率ｎと誘電率εとは、
【数２】
2016138796.tif 000004
の関係があることから、空気と水（人体）の界面では3GHzを超えると反射率が低下することとなり、人体へ浸透していく。さらに、誘電損失は２０℃程度の環境下において10から30GHzでピークとなるので、この帯域のマイクロ波を利用することにより、マイクロ波は人体へ浸透したのちに速やかに吸収されるので、人体検知センサー１へ戻るマイクロ波の強度が低下しやすくなって、人体の検知感度が向上する。
【００５８】
また、この第１実施形態の人体検知センサー1は、個室２の床面から20cm高さに配置して、略水平方向にマイクロ波を放射するようにしているので、個室２内の床面付近のマイクロ波の強度が上がって、人１０が転倒した状態ではマイクロ波の減衰量が増加して、人１０の転倒した状態の検知を確実かつ正確に行うことができる。したがって、人が転倒していることを懸念させる状態を優先的にセンシングすることが可能となる。
【００５９】
なお、この明細書で、個室２の床面近傍とは、20cm以下を厳格に意味するのではなく、人体１０の部分の存在が想定される床面からの範囲を言う。
【００６０】
（第２実施形態）
図６は、第２実施形態の物体検知センサーの一例としての人体検知センサーの要部である物体検知手段としての物体検知部２２１のフローチャートである。この第２実施形態の物体検知部２２１は、ソフトウェアのみが図２および５に示す第１実施形態の物体検知部２１と異なるので、物体検知部２２１以外の構成要素については、第１実施形態の図１〜４およびその説明を援用する。図６と図５を対比すると分かるように、第２実施形態の物体検知部２２１と第１実施形態の物体検知部２１とは、算出する検出パラメータと閾値のみが異なる。したがって、以下においては、この異なる点に焦点を当てて説明する。
【００６１】
図６のステップＳ１１では、予めメモリに記憶されている閾値、つまり無人状態の周波数スペクトルの全周波数成分の強度の和に基づいて定められた閾値を読み出す。この閾値は、無人状態の周波数スペクトルの全周波数成分の強度の和の例えば半分の値である。
【００６２】
図７は第１実施形態と同一試験において、周波数スペクトルの全周波数成分の強度の和を図３および４に示す各状態で算出したものである。図３，４および７から分かるように、人体１０が個室２内に存在することにより、周波数スペクトルの全周波数成分の強度の和が著しく低下している。したがって、無人状態の強度の和の例えば半分などの閾値を設ければ、個室２内での人体１０の有無を検出することが可能である。
【００６３】
次に、ステップＳ１２に進んで、周波数分析部１８（図２参照）で得られたビート信号のスペクトル分布の周波数成分毎のスペクトル強度から、全周波数成分のスペクトル強度の和を算出して、検出パラメータとして、メモリ（図示せず）に記憶する。
【００６４】
そして、この検出パラメータが、予め定められた閾値よりも大きいか否かを判別し（ステップＳ４）、検出パラメータが前記閾値よりも大きいと、ステップＳ５に進んで、個室２内に人１０が存在することを、図示しない告知装置で、画像や音声等で告知する。一方、検出パラメータが前記閾値以下であると判別すると（ステップＳ４）、ステップＳ６に進んで、個室２内が無人であることを、図示しない告知装置で、画像や音声等で告知する。
【００６５】
この第２実施形態では、効率よく水分に吸収される特性を有する２０ＧＨｚ周辺のマイクロ波を使用しているため、図３および４に示すように、水分を主成分とする人体１０が個室２内に存在する場合に、図７に示すように、前記全周波数成分の強度の和が顕著に低下する。そこで、無人の状態の全周波数成分の強度の和を基準に設定された前記閾値よりも、ビート信号のスペクトル分布の全周波数成分の強度の和からなる検出パラメータが低下した場合に、人１０が個室２内に存在していると判定することによって、人１０の検出感度をより向上することができる。
【００６６】
また、この第２実施形態では、ビート信号の全周波数成分のスペクトル分布が変化したことによって人体を検知するので、従来のＦＭＣＷセンサーのように対象物との距離に対応する周波数成分のスペクトルが出現していなくとも人体を検知でき、マイクロ波を用いて個室２内の人体１０を検知することが可能となる。
【００６７】
また、この第２実施形態では、周波数変調したマイクロ波を利用しているため、送信波と反射波とで定在波を形成することを抑制することができる。このため、定在波の腹・節の位置依存を無くして、定在波に基づくビート信号強度の強弱発生を回避することができる。
【００６８】
また、この第２実施形態によれば、第１実施形態と同様に、床面近傍に水平方向にマイクロ波を放射しているため、図７から分かるように、床面近傍に人が存在する場合に周波数スペクトルの全周波数成分の強度の和が大きく低下していることが分かる。したがって、人が床に倒れこんでいる状態などの状態を推定することも可能であり、緊急の対応が必要であるなどの判定に使用できる。
【００６９】
（第３実施形態）
図８は、第３実施形態の物体検知センサーの一例としての人体検知センサーの要部である物体検知手段としての物体検知部３２１のフローチャートである。この第３実施形態の物体検知部３２１は、ソフトウェアのみが図５および６に示す第１および第２実施形態の物体検知部２１，２２１と異なるので、物体検知３２１以外の構成要素については、第１実施形態の図１〜４およびその説明を援用する。図８と図６を対比すると分かるように、第３実施形態の物体検知部３２１と第２実施形態の物体検知部２２１とは、算出する検出パラメータと閾値のみが異なる。すなわち、第２実施形態では、生成されたビート信号のスペクトル分布の全周波数成分中の全ての周波数成分のスペクトル強度の和を対象にするに対して、第３実施形態では、生成されたビート信号のスペクトル分布の全周波数成分中の一部の周波数成分の強度の和を対象にする。したがって、以下においては、この異なる点に焦点を当てて説明する。
【００７０】
図８のステップＳ２１では、予めメモリ（図示せず）に記憶されている閾値、つまり、無人状態の周波数スペクトルの全ての周波数成分の強度の和ではなくて、無人状態の周波数スペクトルの全ての周波数成分中の一部の周波数成分の強度の和に基づいて定められた閾値を読み出す。
【００７１】
より具体的には、例えば、無人状態での周波数スペクトルの最大ピークが3m強の距離に対応する周波数成分にあるので、上記閾値は、この3m以上の距離に対応するスペクトル成分の強度和に基づいて定められている。このように、無人状態と有人状態とで周波数スペクトルのピーク強度が敏感に変化するような特定のスペクトル成分の強度和を用いて閾値を定めることによって、無人状態と有人状態とを正確に判断できる。
【００７２】
次に、ステップＳ２２に進んで、周波数分析部１８（図２参照）で得られたビート信号の周波数スペクトルのスペクトル強度から、全周波数成分中の一部の周波数成分の強度の和を算出して、この全周波数成分中の一部の周波数成分の強度の和を検出パラメータとして、メモリに記憶する。具体的には、例えば、この一部の周波数成分は、3m以上の距離に対応するスペクトル成分である。
【００７３】
そして、この検出パラメータが、予め定められた閾値よりも大きいか否かを判別し（ステップＳ４）、検出パラメータが前記閾値よりも大きいと、ステップＳ５に進んで、個室２内に人１０が存在することを、図示しない告知装置で、画像や音声等で告知する。一方、検出パラメータが前記閾値以下であると判別すると（ステップＳ４）、ステップＳ６に進んで、個室２内が無人であることを、図示しない告知装置で、画像や音声等で告知する。
【００７４】
測定対象物の物体が人体のように水分を多く含み、マイクロ波を吸収・遮蔽するような場合は、吸収・遮蔽により多重反射に減衰が起こる。
【００７５】
一方、多重反射により受信波は全部混ざって受信され、どの周波数の位置にスペクトル強度の減少が発生するかは様々な条件によって異なるが、この第３実施形態では、周波数スペクトルの全周波数成分のうちで、無人状態と有人状態とで周波数スペクトルのピーク強度が敏感に変化するような特定の周波数成分の強度和に基づく閾値と検出パラメータとを比較するので、確実に物体の有無を検知できる。
【００７６】
（第４実施形態）
図９は、第４実施形態の物体検知センサーの一例としての人体検知センサーの要部である物体検知手段としての物体検知部４２１と周波数スペクトル分布記憶手段としての周波数スペクトル分布記憶部４５との機能ブロック図である。この第４実施形態の人体検知センサーは、物体検知部４２１および周波数スペクトル分布記憶部４５の構成のみが第１実施形態と異なるので、物体検知部４２１および周波数スペクトル分布記憶部４５以外の構成要素については、第１実施形態の図１〜４およびその説明を援用する。
【００７７】
前記周波数スペクトル分布記憶部４５は、予め、図３に示すような複数の特定状態における部屋２内の人体１０の位置または状態と、図４に示すようなビート信号の周波数スペクトル分布とを対応づけて記憶している。
【００７８】
一方、前記物体検知部４２１は、周波数分析部１８が生成したビート信号の周波数スペクトル分布を記憶する周波数スペクトル分布記憶部４６と、比較部４７とを有する。この比較部４７は、前記周波数スペクトル分布記憶部４５からの特定状態毎の周波数スペクトル分布と、前記生成した周波数スペクトル分布記憶部４６からの前記生成した周波数スペクトル分布とを比較して、前記生成した周波数スペクトル分布が最も近い特定状態の周波数スペクトル分布を選択して、その特定状態を特定して、この特定状態を示す信号を告知装置５１に送信して、この特定状態を音声や画像で告知する。
【００７９】
前記比較部４７は、例えば、第１実施形態と同様の手法で、前記特定状態の周波数スペクトル分布の周波数成分毎のスペクトル強度と、前記生成した周波数スペクトル分布の周波数成分毎のスペクトル強度との差分を計算し、この差分の総和が最も小さくなる特定状態の周波数スペクトル分布に対応する特定状態を選択する。この特定状態には、図４の（４−Ｆ）に示す無人の状態も含まれる。
【００８０】
この第４実施形態の人体検知センサーによれば、前記物体検知部４２１は、前記生成したビート信号の周波数スペクトルと、前記記憶している周波数スペクトル分布との比較により、部屋２内の人体１０の位置または状態を判定するので、部屋２内の人体１０の位置または状態を正確に特定することができる。特に、この第４実施形態では、前記生成したビート信号のスペクトル分布によって、人体１０の位置や状態を推定することができて、人１０が転倒している状態が懸念される状況を検出することができる。
【００８１】
なお、この第４実施形態では、物体検知部４２１と周波数スペクトル分布記憶部４５とは、別体として説明しているが、周波数スペクトル分布記憶部が物体検知部に内蔵するメモリであってもよい。
【００８２】
（第５実施形態）
図１０は、第５実施形態の部屋内物体検知システムを示す模式平面図である。
【００８３】
この部屋内物体検知システムは、物体検知センサーとしての人体検知センサー１とこの人体検知センサー１からのマイクロ波が照射される個室２からなり、この個室２の壁面には例えばアルミシート、金属箔、金属網等からなる反射部材５を設けている。
【００８４】
このように、個室２の壁面に反射部材５を設けると、個室２内の空間の電波強度が向上し、人体１０を検知しやすくなる。
【００８５】
この個室２の壁面に設ける反射部材５は、必ずしも、壁表面に露出している必要はなく、壁紙等で覆っていても良い。また、遮熱用のアルミシート等を反射部材として個室２の壁面に貼れば、個室２内の断熱効果を向上させることも可能となる。
【００８６】
さらに、この部屋内物体検知システムには、人体検知センサー１の直近に回転運動をする例えば金属製の反射部材６５を設けて、人体検知センサー１から放射されたマイクロ波が、回転する反射部材６５により反射されて、さらに個室２内空間へと進行し、多重散乱を繰り返すようになっている。このように、反射部材６５が回転運動をするため、マイクロ波の反射する位置、角度が変更されて、マイクロ波が広角に進行することとなって、個室２内の空間の電波強度の偏りが時間的に平均化される。
【００８７】
このように、この第５実施形態では、マイクロ波が水平方向に広角に進行して、水平面内での電波強度の偏りが時間的に平均化されるので、反射部材６５の回転運動の１周期程度を計測期間として平均化したシグナルを判定すればデッドスペースの発生を抑止して、より信頼性の高い人体検知が可能となる。
【００８８】
前記反射部材６５は、図示しないモーター等の駆動部材を含む回転運動機構により回転運動をする。
【００８９】
また、この人体検知センサー１と反射部材６５と回転運動機構とを一体化して、１つの樹脂製筐体６７内に収納しているので、これらを個室２内で簡便に配置することができる。
【００９０】
また、前記反射部材６５の表面にはマイクロ波の波長よりも大きなピッチで凹凸を設けておけば、個室２内へのマイクロ波の放射角度が広がりやすくなり、デッドスペース対策となる。
【００９１】
なお、前記人体検知センサー１は、第１実施形態の人体検知センサー１に限らず、第２から第４実施形態の人体検知センサーであってもよい。
【００９２】
図１１は第５実施形態の変形例を示し、この変形例では、反射部材６５を図示しない平行移動機構によって平行移動させて、個室２内へのマイクロ波の偏りを時間的に平均化させている。勿論、前記回転運動機構と平行移動機構とを組み合わせた移動機構を用いてもよい。
【００９３】
本発明および実施形態を纏めると、次のようになる。
【００９４】
本発明の物体検知センサー１は、
空間の周囲を壁面で囲ってなる部屋２内に周波数変調した連続波のマイクロ波信号である送信波を送信する送信手段１３と、
前記送信波に基づく部屋２内からの反射波である受信波を受信する受信手段１６と、
前記送信波と受信波のビート信号を生成するビート信号生成手段１２，１５と、
前記ビート信号の周波数スペクトルを生成する周波数スペクトル生成手段１７，１８と、
前記周波数スペクトルにおける所定の周波数範囲のスペクトル分布に基づいて部屋２内の物体１０を検知する物体検知手段２１，２２１，３２１，４２１と
を備え、
前記周波数スペクトルは、その周波数スペクトルの周波数と送信波が送信されてから受信波として受信されるまでの行路長とが対応関係を有するものであって、
前記物体検知手段２１，２２１，３２１，４２１は、前記部屋２の最大幅の２倍よりも大きい行路長に対応する周波数を含む周波数範囲のスペクトル分布に基づいて、前記部屋２内の物体１０を検知することを特徴としている。
【００９５】
本発明は、部屋２内の壁面からのマイクロ波の多重反射を利用して部屋２内の物体１０を検知する物体検知センサー１である。ここでいう物体１０とは、具体的には人体１０のような生体を主に想定している。
【００９６】
一般的なＦＭＣＷ（Frequency Modulated Continuous Wave）レーダーにおいて、ビート波を高速フーリエ変換したスペクトル分布をとると、その周波数が、送信波が送信されてから受信波として受信されるまでの行路長に対応した距離スペクトルを取得することができる。一般的なＦＭＣＷレーダーは、金属などのマイクロ波を反射するような物体を想定しており、距離スペクトルにおける物体の距離に対応した周波数のところの信号強度が増大することにより物体を検知することができる。
【００９７】
しかしながら、本発明が想定している環境は部屋内の壁面からのマイクロ波の多重反射の影響を強く受ける個室内などの環境であり、かつ、測定対象物が例えば人体のように、マイクロ波を反射せずに、吸収する物体であることから、一般的なＦＭＣＷレーダーでは、物体の距離に対応した周波数のところの信号強度の増大を検知することができない。
【００９８】
本発明のポイントは、このような環境において、部屋内の壁面からのマイクロ波の多重反射を積極的に利用することにより、物体を検知することにある。
【００９９】
部屋内にマイクロ波を吸収する物体が存在する場合、物体によりマイクロ波が吸収・遮蔽されることにより、壁面からの多重反射の強度に減衰が見られる。
【０１００】
前記多重反射は部屋の大きさよりも長い行路を経るため、部屋の大きさの最大幅の２倍よりも大きい行路長に対応する周波数となる。
【０１０１】
本発明はこの領域のスペクトル強度に減少が見られた場合に部屋内に測定対象の物体が存在すると判定する。（通常のＦＭＣＷレーダーレーダーではこの領域のスペクトルはノイズとして利用しない。）
【０１０２】
本発明の多重反射を活用するメリットの１つは、部屋内に隈なくマイクロ波を当てて、部屋内のどの位置に物体が存在しても検知できる点である。すなわち、物体がどの位置に存在しても、部屋内で複雑に多重反射したマイクロ波が当たるため、これを検知することができる。よって、マイクロ波発生源に指向性がある場合であっても、部屋内を死角なく検知できる。
【０１０３】
本発明は部屋２の大きさの最大幅の２倍よりも大きい行路長に対応する周波数を含む周波数量領域のスペクトル分布に基づいて部屋内の物体を検知するものである。
【０１０４】
多重反射により受信波は全部混ざって受信される。その結果、部屋２の大きさの最大幅の２倍よりも大きい行路長に対応する周波数のうちで、どの周波数の位置にスペクトル強度の減少が発生するかは、部屋２の大きさ、形状、物体の位置、状態（人が立っているか、座っているか）などにより大きく変化する。これを利用すると物体の位置や状態を検知することができる。
【０１０５】
本発明では、前記部屋２内で複雑に多重反射したマイクロ波を検出し、前記部屋の最大幅の２倍よりも大きい行路長に対応する周波数を含む周波数範囲のスペクトル分布に基づいて、前記部屋２内の物体１０を検知するので、部屋２内に死角なく、正確に物体１０の位置や状態を検知できる。
【０１０６】
１実施形態では、
前記物体検知手段３２１は、生成したビート信号の周波数スペクトルにおける全周波数成分中のすくなくとも一部の周波数成分の強度和を算出し、その強度和が所定の値よりも小さい場合に部屋内に物体が存在すると判定する。
上記実施形態によれば、生成したビート信号の周波数スペクトルにおける全周波数成分中のすくなくとも一部の周波数成分の強度和に基づいて、物体の有無を判定するので、正確に物体の有無を判定できる。
上記一部の周波数成分として、例えば、無人状態での周波数スペクトルの最大ピークを呈するときの周波数成分とすれば、物体の有無を正確に判定することができる。
１実施形態では、
前記物体検知手段２２１は、生成したビート信号の周波数スペクトルにおける全周波数成分中の全ての周波数成分の強度和を算出し、その強度和が所定の値よりも小さい場合に部屋内に物体が存在すると判定する。
上記実施形態によれば、生成したビート信号の周波数スペクトルにおける全周波数成分中の全ての周波数成分の強度和に基づいて、物体の有無を判定するので、もれなく物体の有無を判定することができる。
【０１０７】
１実施形態は、
特定状態におけるビート信号の周波数スペクトル分布を記録する周波数スペクトル分布記憶手段４５を備え、
前記物体検知手段４２１は生成したビート信号の周波数スペクトルと特定状態におけるビート信号の周波数スペクトル分布との比較に基づいて部屋内の物体を検知する。
【０１０８】
ここで、特定状態とは、部屋２内における物体の状態が分かっている状態のことである。これには部屋内に物体が存在しない状態も含まれる。例えば、物体が存在しない状態でのビート信号の周波数スペクトル分布を記憶しておき、この周波数スペクトル分布と、生成したビート信号の周波数スペクトルとが一致する場合は物体が存在しないと判定し、一致しない場合は物体が存在すると判定する。
【０１０９】
１実施形態では、
前記周波数スペクトル分布記憶手段４５は、複数の特定状態における、部屋内における物体の位置または状態と周波数スペクトル分布との関係を記憶し、
前記物体検知手段４２１は生成したビート信号の周波数スペクトルと特定状態における周波数スペクトル分布との比較に基づいて部屋２内における物体１０の位置または状態を判定する。
【０１１０】
この実施形態では、前記周波数スペクトル分布記憶手段４５は、複数の特定状態における、部屋内の物体の位置または状態とビート信号の周波数スペクトル分布との対応関係を記憶しており、前記物体検知手段４２１は、生成したビート信号の周波数スペクトルと、前記記憶している周波数スペクトル分布との比較により部屋２内の物体１０の位置または状態を判定するので、部屋内の物体の位置または状態を正確に特定することができる。
【０１１１】
１実施形態では、
前記送信手段１３は、前記送信波を部屋２の床面に沿って水平方向に送信する。
【０１１２】
この実施形態によれば、部屋２内に人が倒れている場合など、床面付近の物体をより高感度に検知することができる。
【０１１３】
１実施形態では、前記物体検知センサー１は人体検知センサー１である。
【０１１４】
この実施形態によれば、人体１０の位置または状態を正確に検知することができる。
【０１１５】
本発明の部屋内物体検知システムは、
内部に検知されるべき物体１０を入れることが可能な部屋２と、
上述の物体検知センサー１と
を備え、
前記部屋２の壁面には、前記送信波を反射する金属からなる反射部材５を設けていることを特徴としている。
【０１１６】
本発明によれば、前記部屋２の壁面に、前記送信波を反射する金属からなる反射部材を有するから、送信波の多重反射をより有効に利用できる。
【０１１７】
前記反射部材５は厚い金属板のほかに、アルミ箔のように薄いものでもよい。また、反射部材５は必ずしも室内に露出している必要はなく、薄い壁紙の裏面に配置するようなものでもよい。
【０１１８】
第１〜第５実施形態および変形例で述べた構成要素は、適宜、組み合わせてもよく、また、適宜、選択、置換、あるいは、削除してもよいのは、勿論である。
【産業上の利用可能性】
【０１１９】
本発明はトイレ、脱衣所等の個室内での人体を検知するセンサーおよびセンサーシステムとして好適に利用できる。
【符号の説明】
【０１２０】
１  物体検知センサー
２  部屋
５，６５  反射部材
１２  結合器
１３  送信手段
１５  ミキサ
１６  受信手段
１７  ＡＤ変換器
１８  周波数分析部
２１，２２１，３２１，４２１  物体検知部
４５  周波数スペクトル分布記憶手段
【図１Ａ】
2016138796.tif 000005
【図１Ｂ】
2016138796.tif 000006
【図２】
2016138796.tif 000007
【図４】
2016138796.tif 000008
【図５】
2016138796.tif 000009
【図６】
2016138796.tif 000010
【図７】
2016138796.tif 000011
【図８】
2016138796.tif 000012
【図９】
2016138796.tif 000013
【図３】
2016138796.tif 000014
【図１０】
2016138796.tif 000015
【図１１】
2016138796.tif 000016